(57)【要約】      （修正有）【課題】薄型の表示装置であってもその内部に収容された、発熱体を実装した回路基板全体を効率よく冷却できる電子機器を提供すること。【解決手段】回路基板は、発熱体の実装面の反対面を表示パネルの背面に向けており、回路基板の実装面に対向させて放熱板３０が配設され、発熱体と放熱板３０との間に、発熱体と放熱板３０の両方に接触させてヒートシンク４４を介在させ、放熱板３０に吸気口５８を、表示装置２の上端面に排気口６０を形成し、吸気口５８から吸い込んだ空気を排気口６０へと向かわせる気流を回路基板２８と放熱板３０との間の空間に形成させるファン４５を放熱板３０の吸気口形成箇所に設けた。【選択図】図１１
2005086006.tif 000002
【特許請求の範囲】
【請求項１】
表示パネルが収容される表示装置と、
前記表示装置を設置面上に支持するための支持部材と、
発熱体が実装され、前記発熱体の実装面の反対面を前記表示パネルに向けて前記表示装置内に収容される回路基板と、
前記発熱体の実装面に対向して配設される放熱板と、
前記発熱体と前記放熱板の両方に接触した状態で前記発熱体と前記放熱板との間に介在されるヒートシンクと、
前記回路基板と前記放熱板との間の空間を前記表示装置の外部に連通させる吸気口と、
前記表示装置が前記支持部材によって支持された状態で前記吸気口よりも上方に位置され、前記回路基板と前記放熱板との間の空間を前記表示装置の外部に連通させる排気口と、
前記吸気口から吸い込んだ空気を前記排気口へと向かわせる気流を、前記回路基板と前記放熱板との間の空間に形成させるファンとを備えた
ことを特徴とする電子機器。
【請求項２】
前記吸気口は前記放熱板に形成され、
前記ファンは、前記放熱板における前記吸気口形成箇所に設けられている
ことを特徴とする請求項１に記載の電子機器。
【請求項３】
前記ファンから送出される空気を前記排気口へと向かわせるガイド部材が、前記回路基板と前記放熱板との間の空間に設けられている
ことを特徴とする請求項２に記載の電子機器。
【請求項４】
前記ガイド部材は、前記ファンが収容される凹部と、前記凹部と連通され前記排気口に向けた方向に形成される送風口とを有する
ことを特徴とする請求項３に記載の電子機器。
【発明の詳細な説明】
【技術分野】
【０００１】
本発明は、表示パネルと、中央処理装置やディスク装置を搭載し機能上の機器本体である回路基板とを収容した表示装置を有する電子機器に関し、更に詳しくは、回路基板に実装された中央処理装置などの発熱体の冷却方法を工夫した電子機器に関する。
【背景技術】
【０００２】
従来より、デスクトップ型コンピュータのように、演算処理や制御処理を行う中央処理装置を備えた機器本体と、この機器本体に対する制御処理の指示等を行うためのキーボード等の入力操作板と、機器本体による制御処理の結果や入力操作板による入力内容の表示を行う表示装置を備えた電子機器がある。
【０００３】
従来この種の電子機器にあっては、機器本体と表示装置と入力操作板とがそれぞれ別体として存在し、これらをケーブルによって接続する構成が多く採用されている。
【０００４】
また、近年、家庭内の狭いスペースにおいても使用しやすく、かつ、携帯型のノートブック型コンピュータより高い能力と拡張性を有するデスクトップ型のコンピュータに対する要望が高くなり、機器本体と表示装置とを一体化したものが提案されている。例えば、特許文献１参照。
【特許文献１】特開平９−３２１４５３号公報
【０００５】
しかしながら、機器本体と表示装置とを一体化しただけでは、入力操作板を机上面等の設置面上に載置しなければならず、十分に省スペース化されたとは言えない。特に、入力操作板であるキーボードは操作キーの数も多く、しかも、それら操作キーを平面的に配置した状態で使用しなければならないので設置面上に占めるスペースが大きく、キーボードを使用する必要がないときでも、それが設置面上のスペースを占めていて邪魔になることがある。
【０００６】
そこで、本出願人は、特願２００２−３６９７６６号の特許出願において、機器本体と、表示装置と、入力操作板との３者を一体化した電子機器を提案した。
【０００７】
表示装置は機器本体に傾動可能に支持され、その表示装置の下端部に入力操作板であるキーボードの後端部が回動自在に連結されている。
【０００８】
使用するときには、キーボードが表示装置の下端部からほぼ前方に向かって延びるように位置させて、キートップ面がほぼ上方を向くようにし、キーボードを使用しないときには、キーボードを上方へ回動させて表示装置の表示画面に重ねられる。
【発明の開示】
【発明が解決しようとする課題】
【０００９】
上述したような機器本体と表示装置とが一体とされた電子機器の冷却構造としては、背面にファンを設け、発熱体に対して直接空気を吹き付ける、もしくは吸い出す構成が一般的である。しかし、このような冷却構造を特に薄型の表示装置に適用すると空気流路が十分に取れないので効率良く冷却できず、筐体内に熱がこもりがちになる。
【００１０】
本発明は上述の問題に鑑みてなされ、その目的とするところは、発熱体を有する機器本体と一体とされた表示装置の厚さが薄くてもその内部を効率よく冷却できる電子機器を提供することにある。
【課題を解決するための手段】
【００１１】
本発明の電子機器は、
表示パネルが収容される表示装置と、
その表示装置を設置面上に支持するための支持部材と、
発熱体が実装されこの発熱体の実装面の反対面を表示パネルに向けて表示装置内に収容される回路基板と、
発熱体の実装面に対向して配設される放熱板と、
発熱体と放熱板の両方に接触した状態で発熱体と放熱板との間に介在されるヒートシンクと、
回路基板と放熱板との間の空間を表示装置の外部に連通させる吸気口と、
表示装置が支持部材によって支持された状態で吸気口よりも上方に位置され、回路基板と放熱板との間の空間を表示装置の外部に連通させる排気口と、
吸気口から吸い込んだ空気を排気口へと向かわせる気流を、回路基板と放熱板との間の空間に形成させるファンとを備えたことを特徴としている。
【００１２】
回路基板は放熱板と向き合わされ、回路基板に実装された発熱体と放熱板との間には両者に接触してヒートシンクが介在される。ヒートシンクを介して発熱体からの熱を放熱板へと逃がすのでこの熱伝達を良好にするため、ヒートシンクと発熱体との接触部、及びヒートシンクと放熱板との接触部に例えばシリコンなどの熱伝導性に優れたシートあるいはグリスを介在させて熱伝導の妨げになる空気を排除することが好ましい。
【００１３】
なお、本発明で発熱体とは、例えば半導体部品やトランスなどの電子部品、モータ、その他、通電されて発熱する物を意味する。
【００１４】
排気口は吸気口よりも上方に位置され、この吸気口と排気口との間に、ファンがその吸い込み側を吸気口側に、排気側を排気口側に位置させて配設される。ファンの動作によって、吸気口から排気口に向かう空気の流れ、すなわち回路基板と放熱板との間の空間において下から上に向かう空気の流れが形成される。
【００１５】
以上のような構成によって、発熱体の熱はヒートシンクを介して放熱板に拡散され、更にファンによって回路基板と放熱板との間に、熱い空気は上昇するという自然対流の方向に沿う空気の流れを形成することで、発熱体及びこの発熱体の発熱によって温度が上昇した回路基板を効率よく冷却できる。更に、上記ファンによる空気の流れによって、回路基板と放熱板との間の空間の空気の排気も促進することができ、その空間内に熱がこもってしまうのを防げる。
【００１６】
また、吸気口を放熱板に開口させて形成し、ファンを、その放熱板における吸気口形成箇所に設ければ、放熱板の広がり方向に回転翼が広がる姿勢でもってファンを取り付けることができ、大型のファンであっても回路基板と放熱板との間のスペースの増大を回避でき表示装置の薄型化を妨げない。
【００１７】
上述のようにファンを放熱板の吸気口形成箇所に設けた場合には、ファンからの送出風は回路基板に当たる方向となるので、そのファンから送出される空気を上方に位置する排気口へと向かわせるガイド部材を、回路基板と放熱板との間の空間に設けることが好ましい。
【００１８】
例えば、ガイド部材として、ファンが収容される凹部とこの凹部と連通され排気口に向けた方向に形成される送風口とを有するものを用いれば、このガイド部材にファンを収容したうえでガイド部材ごとファンを放熱板に取り付けることができ、ファンやガイド部材の位置決めも含めて取付作業が容易になる。
【００１９】
その他、回路基板と放熱板との間の空間内で上下方向に延びる仕切板状の部材をガイド部材として用いて、下から上へ向かう流路が形成されるようにしてもよい。
【発明の効果】
【００２０】
本発明の電子機器によれば、発熱体の熱はヒートシンクを介して放熱板に拡散され、更にファンによって回路基板と放熱板との間に、熱い空気は上昇するという自然対流の方向に沿う空気の流れを形成させるので、内部空間が狭い（薄い）表示装置であっても、その内部空間に収容された発熱体自体及び内部空間内の空気の効率的な冷却を行える。
【発明を実施するための最良の形態】
【００２１】
図１〜図４は本実施形態に係る電子機器１の外観図を示す。電子機器１は、表示装置２と、この表示装置２を立たせた姿勢で支持する支持部材３と、表示装置２に対して回動自在に連結された入力操作板５とから主として構成される。図１〜図３に示される状態は入力操作板５が表示画面６の前方に展開された開位置をとっている状態である。図４に示される状態は入力操作板５が表示画面６を覆っている閉位置をとっている状態である。
【００２２】
（入力操作板）
図１２は、表示装置２から取り外された入力操作板５の斜視図を示す。図１３は図１２から筐体７を取り除いた図である。入力操作板５は、いわゆるキーボードであるが、キー８の他に、電源ボタンなどの各種操作ボタン、更には、タッチパッドやクリックボタンなどを備えていてもよい。
【００２３】
入力操作板５の後部は鉤状に曲げられている。具体的には、入力操作板５の後部は湾曲させられて、表示装置２への連結部である後端部９ａ、９ｂが入力操作板５の内表面に向き合うように折り返されている。これにより、入力操作板５には、内表面側に湾曲して立ち上がった後壁部１２が形成される。
【００２４】
後端部９ａと後端部９ｂとの間には切欠き１０が形成されている。この切欠き１０は、図３に示すように表示装置２の背面側の下部中央に出っ張って形成されたバッテリ収納部１１との干渉を防ぐために形成されている。
【００２５】
後端部９ａ、９ｂにはそれぞれにヒンジ部材１３が取り付けられている。具体的には、図１３に示すように、入力操作板５の左右の側部には、後部が鉤状に湾曲した帯状の板金１４が配設されており、この板金１４の後端部にヒンジ部材１３が取り付けられている。板金１４の後部と筐体７の後部との湾曲程度は同じである。
【００２６】
ヒンジ部材１３は、入力操作板５への取付部である第１取付部１５と、この第１取付部１５に一体的に固定されている円筒部１６と、この円筒部１６に対して回動自在に連結され、表示装置２側への取付部である第２取付部部１７とから構成される。第２取付部１７は、図１４に示すように、円筒部１６の外に突出している板状部１８と、この板状部１８に一体的に接続し円筒部１６内に回動自在に嵌合している円柱部１９とからなる。
【００２７】
第１取付部１５は、図１４に示すように、板金１４の後端部に形成されたピン２０によって位置決めされたうえで、３つの貫通孔２１ａ〜２１ｃを通じて板金１４の後端部に締結されるねじによって板金１４の後端部に固定される。
【００２８】
（入力操作板と表示装置との連結構造）
上記入力操作板５はその後端部９ａ、９ｂに取り付けられたヒンジ部材１３を介して、表示装置２の背面に連結される。表示装置２の背面において、入力操作板５との連結箇所である下端部寄りの部分には、図１５に示すように、ヒンジ取付ブロック２２が固定されている。
【００２９】
ヒンジ取付ブロック２２の表面には、表示装置２の横幅方向に沿って凹部２３が形成され、この凹部２３のほぼ中央に位置決めピン２４が突設され、この位置決めピン２４の左右両側にねじ孔２５があけられている。
【００３０】
上述したヒンジ部材１３の板状部１８は、その中央に形成された貫通孔８５ａ（図１４参照）に、図１６に示すように位置決めピン２４が通されて位置決めされたうえでヒンジ取付ブロック２２の凹部２３に嵌められる。板状部１８の貫通孔８５ｂ（図１４参照）とヒンジ取付ブロック２２のねじ孔２５（図１５参照）も位置合わせされ、図１６に示すように貫通孔８５ｂを通してねじ孔２５にねじが締結されることで板状部１８がヒンジ取付ブロック２２に固定される。
【００３１】
これにより、ヒンジ部材１３を介して入力操作板５が表示装置２の背面に連結される。板状部１８に一体的な円柱部１９に対して円筒部１６が回動することで、入力操作板５は表示装置２に対して回動する。
【００３２】
（表示装置）
表示装置２は、図１０に示す１対の筐体（前部筐体２６ａ、後部筐体２６ｂ）が組み合わされて形成される空間内に、表示パネル２７、回路基板２８、内部シャーシ２９を収容している。後部筐体２６ｂの背面には放熱板３０が被せられ、放熱板３０の背面はバックパネル３１によって覆われる。
【００３３】
内部シャーシ２９は、例えばステンレスや鋼などの強度と加工性に優れた材料からなる板厚１ｍｍほどの扁平箱状を呈し、表示パネル２７と回路基板２８の支持体として機能すると共に表示装置２全体に強度を与える補強材として機能する。
【００３４】
内部シャーシ２９の上縁部及び左右の側縁部からは側壁部３２が立ち上げられている。側壁部３２は、表示パネル２７の背面を受ける表示パネル受け部３３側に突出している。
【００３５】
この内部シャーシ２９に対して、表示パネル２７と回路基板２８が取り付けられる。なお、内部シャーシ２９自体は、前部筐体２６ａ及び後部筐体２６ｂに例えばねじ止めにて固定される。
【００３６】
表示パネル２７は例えば液晶表示パネルである。あるいは、有機、無機ＥＬ（Electro Luminescence）素子や発光ダイオードを用いた表示パネル、更にはプラズマディスプレイパネルであってもよい。
【００３７】
表示パネル２７はその表示画面６の反対面である背面を、内部シャーシ２９の側壁部３２によって囲まれた表示パネル受け部３３に載せて内部シャーシ２９に収容される。
【００３８】
内部シャーシ２９の左右の側縁部には、表示パネル固定部３４が形成されている。表示パネル固定部３４は、表示パネル受け部３３の左右それぞれの側縁部における上端部寄りの位置と下端部寄りの位置の２箇所に形成され、両側縁部で合わせて４個形成されている。
【００３９】
各表示パネル固定部３４には貫通孔があけられ、この貫通孔を表示パネル２７の左右の側端部に形成されたねじ孔（図示せず）に位置合わせしたうえで、前記貫通孔を通して前記ねじ孔にねじが締結されて、表示パネル２７は内部シャーシ２９に対して固定される。
【００４０】
通常、液晶表示パネルは例えば横幅方向で±０．５ｍｍほどの公差が生じる。この寸法のばらつきを吸収するために、表示パネル固定部３４の両脇にスリットが形成されて側壁部３２と分離され、更に表示パネル受け部３３との接続部である根元部をくびれさせてこの部分で片持ち支持されるようにしている。
【００４１】
これにより、表示パネル固定部３４において、その根元部はくびれて他の部分より細くされ曲げに対する強度が小さくされ、この根元部を支点に表示パネル固定部３４は表示パネル２７の側端部に近づく方向あるいは遠ざかる方向に傾倒可能となっている。
【００４２】
したがって、表示パネル２７の横幅寸法に応じて表示パネル固定部３４を傾倒させて、表示パネル固定部３４が最適な接触圧で表示パネル２７の側端部に接触した状態でねじ止めを行える。これにより、表示パネル２７の側端部に無理な力がかかることがなく、表示パネル２７にストレスを与えない。
【００４３】
回路基板２８は、プリント配線板３５上に、中央処理装置３６や半導体メモリ３７などの半導体部品、その他、抵抗部品、コンデンサ部品、コネクタ、更にはハードディスク装置３９、フレキシブル磁気ディスク装置３８、光ディスク装置４０などが実装されて構成される。回路基板２８は、いわゆるメインボードと呼ばれ（マザーボードあるいはシステムボードとも呼ばれる）、この電子機器１の実質的な本体として機能する。
【００４４】
回路基板２８は、部品などの実装面の反対面を内部シャーシ２９の背面である回路基板固定部７７（表示パネル受け部３３の反対面）に向き合わせて例えばねじ止めにてその回路基板固定部７７に固定される。
【００４５】
これら、表示パネル２７、内部シャーシ２９、回路基板２８が重ねられることの相乗効果によって表示パネル２７、内部シャーシ２９、回路基板２８各々が撓みにくくされ、機能上撓みや曲げにくくする必要のある表示パネル２７、回路基板２８自体の機械的強度の向上ができる。更に、これら表示パネル２７、内部シャーシ２９、回路基板２８の３者が一体化された補強板としても機能するので、表示装置２全体の機械的強度を向上させることもできる。
【００４６】
また、表示パネル２７と回路基板２８とを内部シャーシ２９の板状の部分に重ねる構造であるので、表示装置２の厚さ方向に関して無駄なスペースの発生を抑えて、表示装置２の薄型化を妨げない。
【００４７】
また、表示パネル２７と回路基板２８とを１つの共通な内部シャーシ２９に対して取り付けることで、部品点数の増大を抑えてコスト低減が図れる。さらに、組み立て作業も容易になる。
【００４８】
前部筐体２６ａと後部筐体２６ｂとは例えば溶着あるいはねじ止めにて互いに組み合わされてこれら筐体２６ａ、２６ｂ間に上述した、表示パネル２７、内部シャーシ２９、回路基板２８が収容される。
【００４９】
前部筐体２６ａは窓孔４１が形成された枠状を呈し、その窓孔４１より表示パネル２７の表示画面６が露出される（図１参照）。
【００５０】
後部筐体２６ｂには、回路基板２８上の大部分の部品を露出させるような大きな窓孔４２が形成されている。この窓孔４２を通じて、回路基板２８を内部シャーシ２９から取り外さなくても実装された部品などの交換あるいは増設を行えるようになっている。
【００５１】
また、その窓孔４２の上方には収納部４３が形成されている。収納部４３は、後部筐体２６ｂの背面に当たる面が開放された凹所として形成されている。この収納部４３に、例えばマウスやリモートコントローラなどの電子機器１に付属される付属品を収納することで、それら付属品と電子機器１とをばらばらにすることなくまとめて持ち運ぶことができる。
【００５２】
後部筐体２６ｂの背面には放熱板３０が取り付けられる。放熱板３０は例えばアルミニウムや銅からなる。放熱板３０は回路基板２８の大部分を覆うが、図１１に示すように、半導体メモリ３７の実装箇所は露出させ、半導体メモリ３７の交換や増設を行えるようにしている。放熱板３０と回路基板２８との間の空間には、ヒートシンク４４及びファン４５が設けられている。
【００５３】
ヒートシンク４４は、図１７、１８に示すように、ベース部４７の上に複数のフィン４８が立設されて構成される。ベース部４７及びフィン４８は、例えばアルミニウムや銅からなる。
【００５４】
ヒートシンク４４はヒートシンク取付台４９を介して、回路基板２８上に実装された発熱体（中央処理装置３６やグラフィックスチップチップ、その他ＬＳＩチップなど）に接触される。ヒートシンク取付台４９は、略四角形状のくり抜き部５０を有する枠体の四隅に脚部５１を備えて構成され、くり抜き部５０内に発熱体３６を位置させて脚部５１を回路基板２８上に載せて配設される。
【００５５】
ヒートシンク４４はベース部４７下面をくり抜き部５０に入り込ませて、そのベース部４７の側方に張り出す取付部５２がヒートシンク取付台４９にねじ止めされる。ねじ５３の頭部と取付部５２上面との間には、ねじ５３の軸部に巻回されてコイルばね５４が介在されている。コイルばね５４を圧縮させるようにねじ５３を締め付けることでベース部４７下面を発熱体３６に密着させることができる。なお、ヒートシンク４４のフィン４８は放熱板３０に密着される。
【００５６】
以上のことにより、発熱体３６から発する熱を効率よくヒートシンク４４を介して放熱板３０に拡散させて逃がすことができる。
【００５７】
なお、発熱体３６からヒートシンク４４への熱伝達効率を高めるために、熱伝導性に優れたシリコングリスやシリコンシートなどを発熱体３６表面とヒートシンク４４のベース部４７下面との間に介在させるようにしてもよい。
【００５８】
ファン４５は、図１９に示すガイド部材５５に形成された凹部５６に収容される。凹部５６の側壁部は、細長い矩形状の送風口５７を除いて閉塞されている。
【００５９】
ガイド部材５５は放熱板３０に取り付けられる。具体的には、図１１に示すように、放熱板３０には例えば円形状の吸気口５８が形成されており、ガイド部材５５はその凹部５６から露出するファン４５を吸気口５８に臨ませて放熱板３０の内表面（回路基板２８の対向面）に取り付けられる。
【００６０】
ファン４５は、ヒートシンク４４のすぐ上側に位置される。ここで、上側とは、ヒートシンク４４に被さる位置ではなく、設置面を基準とした場合の上側である。ガイド部材５５の側壁部に形成された送風口５７はその上側に向けられている。
【００６１】
図３に示すように、放熱板３０の背面にはバックパネル３１が取り付けられるが、バックパネル３１には、放熱板３０の吸気口５８に対応する位置に例えば複数の小孔からなる吸気口５９が形成されている。そして、ファン４５が回転すると、バックパネル３１の吸気口５９及び放熱板３０の吸気口５８を介してガイド部材５５の凹部５６内に空気が吸い込まれる。なお、ファン４５を回転駆動させるモータは回路基板２８に実装されている。
【００６２】
ガイド部材５５の凹部５６の底面は閉塞され、更に送風口５７以外の側壁部も閉塞されていることから吸い込まれた空気は、側壁部に有一開口された送風口５７から送出される。この送風口５７は表示装置２の上部側へと向いているため、送風口５７から出た空気は回路基板２８と放熱板３０との間の空間を上方へと向けて流れる。
【００６３】
そして、図３に示す後部筐体２６ｂの上端面に例えば多数の小孔として形成された排気口６０から外部へと排気される。収納部４３の形成された部分ではその収納部４３の底面に形成されたスリット４３ｂを通り抜けて、排気口６０から外部へと排気される。
【００６４】
上述したファン４５の駆動による空気の流れは、熱い気体は自然に上昇するという自然対流と同じ方向で流れるので、回路基板２８と放熱板３０との間の空間の空気の排気を効率的に促進することができる。これにより、回路基板２８上に熱がこもってしまうことを防いで回路基板２８上に実装された各種部品や装置の熱による損傷や誤動作を防げる。
【００６５】
また、ファン４５の軸方向に空気の流れを形成させる方法だと回路基板２８と放熱板３０との間隙が小さい場合には十分な流路が確保できず、回路基板２８をその平面方向にわたって広く冷却するのが難しい。
【００６６】
これに対して、上述したように、放熱板３０の背面側から吸い込んだ空気を、ガイド部材５５で上方へと方向変換するようにすれば回路基板２８上に十分な長さの流路を確保でき、更に送風口５７から送出された空気は回路基板２８全体に広がるようにして排気口６０へと流れるので、回路基板２８全体の効率的な空冷を行える。また、空気の流路が細くならないことによって騒音も抑えられる。
【００６７】
また、図１１に示すように、放熱板３０の内表面にはヒートパイプ４６が設けられている。ヒートパイプ４６の一端部はヒートシンク４４に接続され、この一端部から上方へと曲げられて他端部が放熱板３０の上部（発熱体から離れた位置）にある。
【００６８】
ヒートパイプ４６は公知の構造を有し、アルミニウムや銅などのパイプの内部を減圧し、その中に収容されたフレオンや水等の熱媒体の蒸気の移動と蒸発潜熱の授受によって熱移動を行わせる。すなわち、熱媒体は発熱体のある一端部で加熱されると蒸気流となって冷却部（他端部）側に移動し凝縮して一端部に戻る。このような還流のサイクルがパイプ内で生じ、潜熱のやり取りを通じて熱が移送されて発熱体の冷却を行う。
【００６９】
図３に示すように、後部筐体２６ｂの背面には、放熱板３０を覆うようにしてバックパネル３１が例えばねじ止めで取り付けられる。バックパネル３１は１枚の板部材であり、一般的なノートブック型コンピュータで採用されている複数枚のカバーで機器本体を覆う構成のような継ぎ目がなく、すっきりとした見栄えのよい外観となり美観を損ねない。
【００７０】
バックパネル３１を取り外すと、図１１に示すように、放熱板３０の背面が露出するが、放熱板３０は回路基板２８上の半導体メモリ３７の取付部は覆っていない。これにより、半導体メモリ３７の交換や増設を放熱板３０を取り外さなくても行える。
【００７１】
また、バックパネル３１には、収納部４３に対応する位置にその収納部４３を開閉する蓋６１がヒンジ６２を介して取り付けられている。図５は蓋６１の開状態を示す。この蓋６１を閉めることで、電子機器１を持ち運ぶ際に、収納部４３に収納されたマウスなどの収納品の脱落を防止できる。
【００７２】
また、図３に示すように蓋６１の天面には貫通孔６３が形成されており、この貫通孔６３を通して収納部４３に収納されたマウスのケーブルを収納部４３の外へ引き出すことができる。したがって、表示装置２の背面の下部に設けられたコネクタ６４にケーブルを差したまま収納部４３にマウスを収納でき、ケーブルの抜き差しの煩わしがない。
【００７３】
なお、図５に示すように、蓋６１の底部にはスリット６５が形成されており、蓋６１を閉じた状態で、収納部４３に形成されたスリット４３ｂを抜けて排気口６０に至る上述した空気の流れを妨げない。
【００７４】
（枠部材）
図１、図４に示すように、表示装置２の上下左右の４つの端部を囲むようにして角リング状の枠部材６６が取り付けられている。枠部材６６の左右の側部６７はそれぞれ表示装置２の左右の側端部に沿って延在して、その側端部に固定されている。
【００７５】
枠部材６６の側部６７の上端部及び下端部は表示装置２の側端部から延出し、側部６７の上端部には表示装置２の上端部に沿って延在する上部６８が連結され、側部６７の下端部には表示装置２の下端部に沿って延在する下部６９が連結されている。
【００７６】
枠部材６６の上部６８と表示装置２の上端部との間には間隙が形成され、その間隙に手を差し入れて上部６８を把持することで電子機器１を持ち運ぶことができる。
【００７７】
枠部材６６の下部６９と表示装置２の下端部との間にも間隙が形成され、この間隙は後述するように入力操作板５の開閉動作を許容する。
【００７８】
枠部材６６の内部には、例えばアルミニウムやマグネシウムからなる帯状の補強部材が、枠部材６６の芯材として内蔵されている。
【００７９】
表示装置２の周囲を枠部材６６が取り囲んでいることによって、持ち運び時に表示装置２の端面が家具や壁などに直接ぶつかってしまうことを防げ、枠部材６６は表示装置２に加わる衝撃を緩和する。
【００８０】
（支持部材）
図３に示すように、支持部材３は略四角い枠状を呈し、ヒンジ７３（図５参照）を介して表示装置２に対して回動自在に連結されている。支持部材３は、枠状になっているので、表示装置２背面の下部に設けられたコネクタ６４を隠さず、よってコネクタ６４に対する各種ケーブルや端子の抜き差しに際してじゃまにならない。
【００８１】
表示装置２は、図２に示すように、支持部材３と、上述した枠部材６６の下部６９とによって、湾曲した下端部が設置面上から浮いた状態で設置面上に支持される。
【００８２】
表示装置２は立った姿勢でもって設置面上に支持される。ここで、立った姿勢とは垂直に立った姿勢に限らず、表示装置２の上端部側が後方に少し倒れた傾斜姿勢も含む。表示装置２の前方にいる使用者がその視線の方向に表示画面６を見ることができる姿勢であればよい。
【００８３】
表示装置２に対する支持部材３の回動角度を調整して、支持部材３と、枠部材６６の下部６９との開き角度を調整することで、表示装置２の傾き具合を調整でき、使用者が表示画面６を視認するのに最適な角度に調整可能である。
【００８４】
図２０に、本電子機器１と合わせて用いられる収納ケース７４を示す。収納ケース７４は、例えば布製のベルト状を呈し、その両端部をボタン止め、あるいは目のあらい輪奈で互いに付着する接着布（いわゆるマジックテープ）などで合わせることで、例えば電源アダプタ７６などの付属品を収納する空間を形成する。
【００８５】
そして、フック部７５を支持部材３の上縁部に引っ掛けることで、電源アダプタ７６を電子機器１と一緒に持ち運ぶことができる。
【００８６】
（入力操作板の開閉動作）
図４及び図６は、入力操作板５が閉位置にある状態を示す。入力操作板５の湾曲した後壁部１２は表示装置２の下端部（後壁部１２と同様に湾曲している）を覆い、後壁部１２に続く板状の操作部８１は表示画面６に重なっている。操作部８１は表示画面６の全面を覆うので、枠部材６６の上部６８をつかんで電子機器１を持ち運ぶときや、非使用時に電子機器１を収納しておく場合などに表示画面６の全面保護を行える。
【００８７】
入力操作板５が閉じられたこの状態で、更に支持部材３を表示装置２の背面側に寄せるように表示装置２と支持部材３との開き角度を小さくすれば、電子機器１の奥行き寸法が小さくされてスリムになるので、例えば壁などに立てかけた状態で置けば、非使用時の置き場所をとらない。
【００８８】
図１に示すように、表示装置２の前面側において表示画面６から外れた左右の側縁部寄りの箇所にロック金具８２が突設されている。そのロック金具８２に、入力操作板５の側縁部寄りの箇所に形成された係合孔８３内に設けられたロックレバー（図示せず）が係合することで、入力操作板５の閉状態が保持される。係合孔８３の脇に設けられた解除ボタン８４を押すことで、ロック金具８２とロックレバーとの係合は解除される。
【００８９】
入力操作板５の板状部８１を手前側に降ろすようにして（図７参照）、上述したヒンジ部材１３を介して表示装置２の背面に連結された後端部９ａ、９ｂを中心に入力操作板５を回動させると、板状部８１がキートップ面を上に向けた状態で表示装置２の下端部と設置面との間に広げられ、表示画面６の前方に展開される開状態となる。これにより、使用者のキー８を叩いての入力操作が可能となる。
【００９０】
このとき、回動中心である入力操作板５の後端部９ａ、９ｂが表示装置２の背面に連結されて、回動中心が表示装置２の後方に回り込んでいるので、入力操作板５の開位置への回動に伴って、入力操作板５において後端部寄りの部分が表示装置２の後方へと引っ込む。
【００９１】
すなわち、閉位置では表示装置２の前面に重なっている図６においてクロスハッチングで示す部分が、展開時には図８に示すように表示装置２の後方へと延出する。これにより、展開時における表示画面６前方への入力操作板５の突出長さを抑えることができ、使用時の設置面積の省スペース化が図れる。
【００９２】
上記クロスハッチングで示した部分は、入力操作板５の展開動作に伴って弧を描くようにして、表示装置２の下方を通り抜けて表示装置２の後方へと移動するので、表示装置２の下端部と設置面との間にはその移動を許容するための空間が上述した枠部材６６の下部６９によって確保されている。
【００９３】
入力操作板５の後端部９ａ、９ｂが、表示装置２の下端部よりも上方に位置する背面に連結されているので、展開された状態では後端部９ａ、９ｂから前端部に向けて若干下向き傾斜する。したがって、展開された状態で入力操作板５が自然にそのキートップ面が使用者の方に近づくように傾斜されるので、キー８の操作性が向上する。
【００９４】
また、入力操作板５には、上述した中央処理装置３６や半導体メモリ３７などの部品、更にはハードディスク装置３９、フレキシブル磁気ディスク装置３８、光ディスク装置４０などの記憶装置を搭載し実質的な機器本体を構成する回路基板２８（メインボード）が収容されておらず、薄型化及び軽量化が図られている。これにより、開閉動作時の使用者の負担が軽減される。更に、頻繁に開閉されることになる入力操作板５に振動に弱いハードディスク装置３９などが収容されていないのでそれら装置の故障も防げる。
【００９５】
以上、本発明の実施形態について説明したが、勿論、本発明はこれに限定されることなく、本発明の技術的思想に基づいて種々の変形が可能である。
【００９６】
図２１に示すように、表示装置１２６の上端部に形成された排気口１２８にファン１２７ａを臨ませて設けてもよい。あるいは、支持部材によって設置面上から浮かされた状態で表示装置１２６が支持されているのであれば、表示装置１２６の下端部に吸気口１２９を形成し、その吸気口１２９にファン１２７ｂを臨ませて設けてもよい。ただし、図２１に示される構成は、特に大型のファンを用いた場合には、回転翼の広がり方向を放熱板の広がり方向と同じにした上記実施形態に比べて表示装置１２６の薄型化が困難になり易い。
【００９７】
また、本発明は、図２２に示される一般のノートブック型コンピュータのように、設置面上に載置される入力操作板１０５に対して、表示画面１０２を有する表示装置１０１が開閉される構造の電子機器にも適用可能である。
【００９８】
すなわち、その表面にキーボード１０４を有する入力操作板１０５には、中央処理装置やディスク装置などを実装した回路基板（メインボード）は内蔵されずに、この入力操作板１０５に対して、ヒンジ部材１０３を介して開閉される表示装置１０１の内部に上述した回路基板、放熱板、ヒートシンク、ファンを内蔵させるようにしてもよい。
【００９９】
また、入力操作板は表示装置に対してケーブル接続やワイヤレス接続としてもよい。あるいは、入力操作板を備えていない電子機器にも本発明は適用可能である。
【図面の簡単な説明】
【０１００】
【図１】本発明の実施形態に係る電子機器の開状態における正面図である。
【図２】同電子機器の開状態における側面要部の斜視図である。
【図３】同電子機器の開状態における背面側から見た斜視図である。
【図４】同電子機器の閉状態における正面図である。
【図５】同電子機器の閉状態における背面側から見た斜視図である。
【図６】同電子機器の閉状態における斜視図である。
【図７】図６の状態から入力操作板が開き始めた状態の斜視図である。
【図８】同電子機器の開状態における斜視図である。
【図９】図８の状態を背面側から見た斜視図である。
【図１０】本発明の実施形態に係る表示装置の分解斜視図である。
【図１１】バックパネルが取り外された状態の上記電子機器の背面図である。
【図１２】上記入力操作板の斜視図である。
【図１３】図１２から筐体が取り除かれた状態の図である。
【図１４】図１３における要部の拡大斜視図である。
【図１５】上記表示装置の背面要部の拡大斜視図である。
【図１６】図１５の表示装置に入力操作板が連結された状態を示す図である。
【図１７】ヒートシンクの斜視図である。
【図１８】同ヒートシンクの側面図である。
【図１９】ファン取付ブロックの斜視図である。
【図２０】本実施形態の電子機器の支持部材に電源アダプタを収納した収納ケースが掛けられた状態の斜視図である。
【図２１】ファン取付位置の変形例を示す模式図である。
【図２２】変形例による電子機器の正面側から見た斜視図である。
【符号の説明】
【０１０１】
１…電子機器、２…表示装置、３…支持部材、５…入力操作板、６…表示画面、１３…ヒンジ部材、２６ａ…前部筐体、２６ｂ…後部筐体、２７…表示パネル、２８…回路基板（メインボード）、２９…内部シャーシ、３０…放熱板、４４…ヒートシンク、４５…ファン、４８…フィン、５５…ガイド部材、５７…送風口、５８…吸気口、５９…吸気口、６０…排気口、６６…枠部材。
【図１】
2005086006.tif 000003
【図２】
2005086006.tif 000004
【図３】
2005086006.tif 000005
【図４】
2005086006.tif 000006
【図５】
2005086006.tif 000007
【図６】
2005086006.tif 000008
【図７】
2005086006.tif 000009
【図８】
2005086006.tif 000010
【図９】
2005086006.tif 000011
【図１０】
2005086006.tif 000012
【図１１】
2005086006.tif 000013
【図１２】
2005086006.tif 000014
【図１３】
2005086006.tif 000015
【図１４】
2005086006.tif 000016
【図１５】
2005086006.tif 000017
【図１６】
2005086006.tif 000018
【図１７】
2005086006.tif 000019
【図１８】
2005086006.tif 000020
【図１９】
2005086006.tif 000021
【図２０】
2005086006.tif 000022
【図２１】
2005086006.tif 000023
【図２２】
2005086006.tif 000024